(57)【要約】【課題】階調表示性にすぐれたプラズマディスプレイの駆動方法を提供する。【解決手段】維持期間の最初の維持パルスＰｓｙ印加と同時に、維持パルスを印加しない電極に補助パルスＰｕｘを印加する。【選択図】　図２
2004012787.tif 000002
【特許請求の範囲】
【請求項１】
面放電型プラズマディスプレイの駆動方法であって、アドレス放電を生じさせてデータの書き込みを行うアドレス期間と、行電極対に維持パルスを交互に印加して維持放電を生じさせる維持期間とを有する複数のサブフィールドを有し、前記維持期間において、最初の前記維持パルス印加時に、前記維持パルスを印加しない側の行電極に補助パルスを印加し、かつ、前記補助パルス印加時の前記行電極間電圧がそれ以外の前記維持パルス印加時よりも低くすることを特徴とするプラズマディスプレイの駆動方法。
【請求項２】
前記補助パルス印加期間における放電発光が、それ以外の前記維持放電の発光よりも弱くなることを特徴とする請求項１記載のプラズマディスプレイの駆動方法。
【請求項３】
最も低い階調を表す前記サブフィールドにおいて前記補助パルスを印加することを特徴とする請求項１記載のプラズマディスプレイの駆動方法。
【請求項４】
アドレス放電を生じさせてデータの書き込みを行うアドレス期間と、維持パルスを印加して維持放電を生じさせる維持期間とを有する複数のサブフィールドを有し、前記維持パルスと前記アドレス期間に印加する走査パルスが逆極性で、かつ、前記走査パルス印加開始から、前記維持期間の最初の前記維持パルス印加までの期間に、前記走査パルスを印加しない側の行電極に、走査パルスと逆極性の補助パルスを印加することを特徴とするプラズマディスプレイの駆動方法。
【請求項５】
最初の前記維持パルス印加時における放電発光が、それ以外の前記維持放電の発光よりも弱くなることを特徴とする請求項４記載のプラズマディスプレイの駆動方法。
【請求項６】
最も低い階調を表す前記サブフィールドにおいて前記補助パルスを印加することを特徴とする請求項５記載のプラズマディスプレイの駆動方法。
【発明の詳細な説明】
【０００１】
【発明の属する技術分野】
この発明は交流型プラズマディスプレイパネルの駆動装置に関し、特に面放電型プラズマディスプレイパネルの駆動方法に関する。
【０００２】
【従来の技術】
プラズマディスプレイの階調は、１フィールドを複数のサブフィールドに分割し、それぞれのサブフィールドの維持期間に印加する維持パルスの数によって決定される。また、サブフィールドの輝度は維持放電発光の回数に比例する。
【０００３】
最近のプラズマディスプレイでは、維持パルス１個あたりの輝度が発光効率の向上などにより増加している。さらに、コントラストを高めるために、黒の輝度はかなり低くしている。このため、単純に維持パルス数を最小の数にして最も低い階調を表現するだけでは、０階調と１階調の差が大きくて、低階調がうまく表現できない。
【０００４】
階調性を向上させる方法としてはたとえば、特開２００２−１４６５２号公報（引用文献１）に開示されているものが知られている。引用文献１では、電圧の低い太幅パルスを１個印加するサブフィールド（低階調サブフィールド）を用いて、従来の維持パルスによる輝度よりもさらに小さな輝度を実現することによって、低階調における階調性を向上させようというものである。
【０００５】
【発明が解決しようとする課題】
しかし上記従来例においては、最も低い階調の輝度を低くはできるものの、太幅パルスの電圧をある程度高くして安定に発光させる必要があるため、維持パルス数を最小の数にしても、輝度が十分に低くならない。
【０００６】
また、太幅パルスの印加時間を長くする必要があるため、駆動時間が多く割かれることになる。
【０００７】
本発明は、低い輝度を持つサブフィールドを実現し、階調表示性を改善できるプラズマディスプレイの駆動方法を提供することを目的とする。
【０００８】
【課題を解決するための手段】
この課題を解決するために、本発明のプラズマディスプレイの駆動方法は、アドレス放電を生じさせてデータの書き込みを行うアドレス期間と、維持パルスを印加して維持放電を生じさせる維持期間とを有する複数のサブフィールドを有し、維持パルスを印加しない側の行電極に補助パルスを印加し、かつ、そのときの行電極間電圧を補助パルスを印加しないときよりも低くしたプラズマディスプレイの駆動方法である。このような構成により、最初の維持パルス印加時の放電が通常の維持放電よりも小さくなって、低い輝度を持つサブフィールドを実現でき、輝度をさらに低く設定する場合でも安定して放電を生じさせることができ、さらに、太幅パルスにする必要がないため、太幅パルスにすることによって余分な時間が必要となり、設定できる維持パルス数が減少して、輝度低下や階調不足を招くなどといった問題を生じることなしに、階調性を大きく改善できるという効果がある。
【０００９】
また、本発明のプラズマディスプレイの駆動方法は、アドレス放電を生じさせてデータの書き込みを行うアドレス期間と、維持パルスを印加して維持放電を生じさせる維持期間とを有する複数のサブフィールドを有し、維持パルスと走査パルスが互いに逆極性で、かつ、走査パルス印加開始から、維持期間の最初の維持パルス印加までの期間に、走査パルスを印加しない側の行電極に、走査パルスと逆極性の補助パルスを印加したプラズマディスプレイである。このような構成により、補助パルスの電源の数を増やすことなく低い階調を実現できるため、輝度や階調を損なわず階調性を大きく改善できると同時に、駆動回路のコストが上がらずに済むという効果を有する。
【００１０】
【発明の実施の形態】
以下、本発明の実施の形態について、図を参照しながら説明する。
【００１１】
（実施の形態１）
本発明の説明においてパネル構造は詳述しないが、たとえば引用文献１に示されたものを使用することができる。すなわち、第１のガラス基板上に誘電体層及び保護層で覆われた走査電極及び維持電極とが対をなして互いに平行に列設する。また、第２のガラス基板上には誘電体層で覆われた複数のデータ電極を列設し、これらデータ電極の各間の誘電体層上にはデータ電極と平行して隔壁を設ける。また、誘電体層の表面及び隔壁の両側面に蛍光体層を形成する。また第１のガラス基板と第２のガラス基板とは走査電極及び維持電極とデータ電極とが直交するように放電空間を隔てて対向して配置する。
【００１２】
図１は本発明に係るプラズマディスプレイを示す。図２を正視して、パネル１の左には走査電極側駆動回路２が、右にはデータドライバ３がそれぞれ配置される。また、走査電極ＳＣ１〜ＳＣｎは走査電極側駆動回路２に、、維持電極ＳＵ１〜ＳＵｎは維持電極側駆動回路３に接続される。また、パネル下方には、データ電極Ｄ１〜Ｄｍが配設され、これらのデータ電極Ｄ１〜Ｄｍはデータドライバ４に接続される。
【００１３】
すなわち、走査電極側駆動回路２からは走査電極ＳＣ１〜ＳＣｎに、維持電極駆動回路３からは維持電極ＳＵ１〜ＳＵｎにそれぞれ駆動電圧が供給される。またデータドライバ４からデータ電極Ｄ１〜Ｄｍにデータ電圧が供給される。
【００１４】
次に、駆動方法の実施例を説明する。図２は、本発明の実施の形態１に係る駆動電圧波形を示す。図２は１フィールド期間（１フレーム）を第１サブフィールドと第２サブフィールドで構成したものを示している。第１及び第２サブフィールドはそれぞれ、アドレス期間、維持期間及び消去期間から構成されている。
【００１５】
アドレス期間では、正極性のアドレスパルスＰａが表示データに従ってデータ電極Ｄ１〜Ｄｍに印加され、アドレスパルスＰａの印加と同時に走査電極ＳＣ１〜ＳＣｎに負極性の走査パルスＰｓｃｎが順次印加される。アドレスパルスＰａと走査パルスＰｓｃｎが同時に印加されたセルでは、データ電極Ｄ１〜Ｄｍと走査電極ＳＣ１〜ＳＣｎとの間でアドレス放電が生じて、データの書き込みが行われる。このとき、維持電極ＳＵ１〜ＳＵｎに、アドレス放電を生じやすくするためのアドレス補助パルスＰｕａが印加される。維持期間では、維持パルスＰｓｙが走査電極ＳＣ１〜ＳＣｎに印加される。ここで、第１サブフィールドでは、維持パルスＰｓｙの印加と同時に、維持電極ＳＵ１〜ＳＵｎに補助パルスＰｕｘが印加される。その後、消去期間では維持電極ＳＵ１〜ＳＵｎにランプ状に変化する消去パルスＰｅｘが印加される。
【００１６】
本構成におけるサブフィールドでは、維持パルスＰｓｙは走査電極ＳＣ１〜ＳＣｎに１回印加される。第１サブフィールドの維持放電は、維持電極ＳＵ１〜ＳＵｎに補助パルスＰｕｘが印加されているため、行電極間電圧が低くなり、弱い発光が生じる。このため、第２サブフィールドのように通常に維持パルスＰｓｙを印加するときの輝度よりも低い輝度を持った階調をこのサブフィールドで表現することが可能となる。また、補助パルスＰｕｘの電圧値Ｖｓ２を変えることによって輝度を変えることも可能である。つまり、本構成によれば、通常に維持パルスＰｓｙを印加するよりも低い階調を実現することが可能となり、特に低階調における階調性を高くすることが可能となる。
【００１７】
このとき、維持パルスＰｓｙの波高値が維持電圧Ｖｓであり、走査電極（ＳＣ１〜ＳＣｎ）とデータ電極（Ｄ１〜Ｄｍ）間にはアドレス放電後に生じた壁電圧も含めて、十分な電圧が印加されることから、輝度を低くする場合にも走査電極（ＳＣ１〜ＳＣｎ）とデータ電極（Ｄ１〜Ｄｍ）間の放電が、補助パルス印加時の走査電極（ＳＣ１〜ＳＣｎ）とデータ電極（Ｄ１〜Ｄｍ）間の放電を補助することにより、輝度を低くするために走査電極−データ電極間の放電を弱くした場合でも、安定した放電が実現できる。つまり、本構成を用いれば、大きく輝度を低減させることができて階調性を大幅に改善することができる。
【００１８】
（実施の形態２）
図３は、本発明の実施の形態２に係る駆動電圧波形を示す。本構成は第１サブフィールドと第２サブフィールドから構成される。パネル構造、プラズマディスプレイの構成は実施の形態１とほぼ同じものを使用することができる。
【００１９】
実施の形態１と異なるのは、アドレス期間において、維持電極ＳＵ１〜ＳＵｎに、アドレス放電を生じやすくするためのアドレス補助パルスＰｕａが印加され、第１サブフィールドにおいては維持期間の維持パルスＰｓｙの印加が終了するまで印加していることである。
【００２０】
実施の形態２によれば、実施の形態１と同様に低い階調を持つサブフィールドを実現でき、かつ、印加する電圧の数を減らすことができるため、駆動回路のコストを下げられる。つまり、本構成によれば、回路のコストの増加を抑えて、かつ、通常に維持パルスＳＵ１〜ＳＵｎを印加するよりも低い階調を実現することができるという効果を有する。
【００２１】
【発明の効果】
以上のように、本発明によれば、維持期間において、最初の維持パルス印加時に、維持パルスを印加しない側の行電極に補助パルスを印加し、かつ、補助パルス印加時の行電極間電圧がそれ以外の維持パルス印加時よりも低くすることによって、輝度や階調を犠牲にすることなく、輝度の低いサブフィールドを実現することができ、階調性を大きく改善できるという効果がある。
【００２２】
また、本発明によれば、維持パルスとアドレス期間に印加する走査パルスが逆極性で、かつ、走査パルス印加開始から、維持期間の最初の維持パルス印加までの期間に、走査パルスを印加しない側の行電極に、走査パルスと逆極性の補助パルスを印加することによって、輝度の低いサブフィールドを実現することができ、輝度や階調を損なわず階調性を大きく改善できると同時に、駆動回路のコストが上がらないという効果を有する。
【図面の簡単な説明】
【図１】本発明のプラズマディスプレイの駆動方法に係るプラズマディスプレイの概要図
【図２】本発明の第１の実施の形態に係る駆動電圧印加タイミングチャート
【図３】本発明の第２の実施の形態に係る駆動電圧印加タイミングチャート
【符号の説明】
１　パネル
２　走査電極側駆動回路
３　維持電極側駆動回路
４　データドライバ
Ｄ１〜Ｄｍ　データ電極
Ｐａ　書き込みパルス
Ｐｅｘ　消去パルス
Ｐｕａ　アドレス補助パルス
Ｐｓｃｎ　走査パルス
Ｐｓｙ　維持パルス
Ｐｕｘ　補助パルス
Ｖｓ　維持電圧
Ｖｓ２　補助パルスの電圧値
Ｖｓ３　アドレス補助パルスの電圧値
ＳＣ１〜ＳＣｎ　走査電極
ＳＵ１〜ＳＵｎ　維持電極
【図１】
2004012787.tif 000003
【図２】
2004012787.tif 000004
【図３】
2004012787.tif 000005